(57)【要約】【課題】  エレメントを傾動させる構成を小型化する。【解決手段】  伸縮アンテナ１は、第１エレメント１１ないし第３エレメント１３の３段のエレメントを備え、第３エレメント１３の下部がジョイントに２０に固着されている。ジョイント２０に形成された一対の挟持部２０ａに、シャフト２３の上部に形成された平板状の挟持片２３ａが挟持されて枢支されている。シャフト２３に形成された鍔部２３ｂとベース２２の上面との間に押し縮められてコイルスプリング２４が収納されて、コイルスプリング２４によりシャフト２３が下方へ付勢されている。【選択図】  図２
2011061513.tif 000002
【特許請求の範囲】
【請求項１】
可撓性を有する線状の下部エレメントと、
該下部エレメントが内部に収納可能とされて、前記下部エレメントに対して摺動自在に伸縮されるパイプ状の上部エレメントと、
前記下部エレメントの下部が固着されると共に、下部に一対の挟持部が形成されているジョイントと、
該ジョイントの前記一対の挟持部の間に挟持されて枢支される挟持片が上部に形成され、下端に外径が大きくされた鍔部が形成されたシャフトと、
上面に前記挟持片が挿通される挿通孔が形成され、ほぼ円筒状に形成されて内部に前記シャフトが挿入されていると共に下端に外側に突出するストッパーが形成されているベースと、
前記シャフトにおける前記鍔部の上面に下端が当接するように前記シャフトの周囲に配置されると共に、上端が前記ベースの上面の内側に当接するよう前記ベース内に押し縮められて収納されているコイルスプリングと、
伸張された際に挿通された前記ベースを弾性的に保持すると共に筐体に取付可能とされたホルダーと、
を備えることを特徴とする伸縮アンテナ。
【請求項２】
可撓性を有する線状の下部エレメントと、
該下部エレメントが内部に収納可能とされて、前記下部エレメントに対して摺動自在に伸縮されるパイプ状の上部エレメントと、
前記下部エレメントの下部が固着されると共に、下部に一対の挟持部が形成されているジョイントと、
該ジョイントの前記一対の挟持部の間に挟持されて枢支される挟持片が上部に形成され、下端に外径が大きくされた鍔部が形成されたシャフトと、
前記挟持片が挿通されている挿通孔が形成され、筐体に取付可能とされたベースと、
前記シャフトにおける前記鍔部の上面に下端が当接すると共に、上端が前記ベースの下面に当接するよう押し縮められて前記シャフトの周囲に配置されているコイルスプリングと、
を備えることを特徴とする伸縮アンテナ。
【発明の詳細な説明】
【技術分野】
【０００１】
本発明は、少なくとも受信機能を有する移動体通信機器、特に携帯電話機等に備えられる伸縮可能なアンテナに関する。
【背景技術】
【０００２】
携帯電話機が普及しているが、この携帯電話機においては通話や情報を送受信するためにアンテナが備えられている。アンテナは携帯電話機の筐体に内蔵されていたり、筐体の側面に沿って取り付けられている。アンテナは、待ち受け時には携帯に便利なように携帯電話機の筐体に対して伸縮自在とされている。このような従来の伸縮アンテナはテレスコープ式の構成とされており、最下段の素子を除いてパイプ状とされ、下段の素子はその上段の素子に摺動自在に収納できるようにされて、伸縮自在なアンテナとされている。また、従来の伸縮アンテナは、弾力性を有する材料で形成されている線状のホイップアンテナ部が下段とされ、このホイップアンテナ部の先端側が挿入されており、ホイップアンテナ部に沿って摺動自在にホイップアンテナ部に保持されている上段の筒状アンテナ部とから構成されている。この筒状アンテナ部をホイップアンテナ部に対して上方にスライドすることにより、伸縮アンテナが伸張され、筒状アンテナ部をホイップアンテナ部に対して下方へスライドすることにより、伸縮アンテナが収納されるようになる。このような伸縮アンテナでは、外力による応力が集中する機器筐体と伸縮アンテナとの接合部分は、弾性を有するホイップアンテナ部とされているので、伸張状態の伸縮アンテナに横方向から外力が加わった際に、ホイップアンテナ部がしなることで外力を吸収し、外力がなくなると元の自立状態にもどるようになる。
【０００３】
従来の３段のエレメントを備える伸縮アンテナの構成の一例を図５に示す。図５に示す伸縮アンテナ１００は３段のエレメントを全て伸張した状態を示している。
この図に示す伸縮アンテナ１００は、金属製のパイプ状とされた第１エレメント１１１と、第１エレメント１１１内に下から挿入され、第１エレメント１１１に摺動自在に挿通されている第２エレメント１１２と、第２エレメント１１２内に下から挿入され、第２エレメント１１２に摺動自在に挿通されている第３エレメント１１３とを備えている。第２エレメント１１２も金属製のパイプ状とされており、第１エレメント１１１内に収納できるように第１エレメント１１１より若干小さい外径とされている。第３エレメント１１３は可撓性を有する線状の金属材料で作成されている。第３エレメント１１３の下端はアンテナ基部１１４に固着されており、アンテナ基部１１４は３段からなるエレメントを傾動可能に保持している。また、第１エレメント１１１の先端にはエレメントを把持して伸縮するためのトップ部１１０が設けられている。アンテナ基部１１４は、ホルダー１１５に摺動自在に保持されており、ホルダー１１５が携帯電話機等の無線機器の筐体に取り付けられて伸縮アンテナ１００が伸張された際に、アンテナ基部１１４の作用により伸縮アンテナ１００は筐体に対して傾動可能かつ回動可能に取り付けられるようになる。また、図５に示す伸張状態の伸縮アンテナ１００に横方向から外力が加わった際に、可撓性を有する第３エレメント１１３がしなることで外力を吸収し、外力がなくなると伸縮アンテナ１００は元の直立状態にもどるようになる。
【０００４】
図６にアンテナ基部１１４の詳細構成を示す断面図を示すが、ジョイント１２０は一部半断面で示している。
この図に示すように、第３エレメント１１３は超弾性合金製の可撓性を有するエレメント導体１１３ａを柔軟な絶縁チューブ１１３ｂで被覆して構成されている。エレメント導体１１３ａの下部はジョイント１２０にほぼ中心軸に沿って形成されている孔部内に上端から嵌入されて、ジョイント１２０の外周面にカシメ加工が施されることにより、エレメント導体１１３ａがジョイント１２０に固着されている。ジョイント１２０の下部において外周面の両側が削られて板状の挟持片１２０ａが形成されている。挟持片１２０ａには挿通孔が形成されている。ベース１２１の外径は第１エレメント１１１の外径とほぼ同様とされており、伸縮アンテナ１００が伸張された際にホルダー１１５に摺動自在に保持される。ベース１２１の上部には溝部が形成されることにより一対の挟持部１２１ａが形成されている。この溝部内にジョイント１２０に形成されている挟持片１２０ａが嵌挿されることにより、挟持片１２０ａが挟持部１２１ａにより挟持されるようになる。そして、一対の挟持部１２１ａに連通するよう形成された挿通孔にピン１２２を挿通する際に、溝部内の挟持片１２０ａに形成された挿通孔にもピン１２２を挿通する。挿通したピン１２２の先端部には、挿通孔内から抜け出せないよう加工を施す。これにより、ジョイント１２０はベース１２１に枢支されるようになる。
【０００５】
ベース１２１には、下端が開放された孔部が挟持部１２１ａの直下まで形成されており、この孔部内に、挟持部１２１ａに枢支されている挟持片１２０ａの下面が突出している。孔部内に突出した挟持片１２０ａの下端面に当接するよう上部の径が大きくされた押し棒１２３が軸方向に移動可能に孔部内に挿入されている。押し棒１２３の下部には径が細くされた嵌挿部１２３ａが形成されており、この嵌挿部１２３ａの周囲に孔部内に挿入されたコイルスプリング１２４が嵌挿されている。コイルスプリング１２４の長さは、下部が嵌挿部１２３ａから下方に延伸する長さとされており、コイルスプリング１２４の下端は孔部内に挿入されたストッパー１２６の上面に当接することにより、コイルスプリング１２４は押し縮められている。ストッパー１２６の下部の外周面にはリング状の溝が形成されており、このリング状の溝に対応するベース１２１の外周面にカシメ加工が施されている。これにより、ベース１２１の外周面にカシメ部１２１ｂが形成され、カシメ部１２１ｂの内側に突出した部位がストッパー１２６のリング状の溝に係合するようになって、ストッパー１２６はベース１２１の孔部内に固着される。
【０００６】
この場合、コイルスプリング１２４は押し縮められて押し棒１２３を上方へ付勢するようになる。これにより、ジョイント１２０の挟持片１２０ａが押し棒１２３により下方から付勢されて、ベース１２１に枢支されているジョイント１２０を傾動させた際に所望の角度で確実に保持されるようになる。この構造により、図５に破線で示すように伸縮アンテナ１００は直立状態から両側にほぼ水平になるまで傾動できる。傾動角度θの最大角度は約９０°とされ、所望の傾動角度θに傾けた際に、コイルスプリング１２４の付勢力により３段からなるエレメントはその角度に確実に保持されるようになる。なお、伸縮アンテナ１００を伸張した際には、ベース１２１の下端に形成された係合片１２１ｃがホルダー１１５の下端に係合して、それ以上伸張することができないようにされている。
また、ホルダー１１５には全体にわたり貫通孔が形成された円筒状とされており、ホルダー１１５の上部には外径が大きくされた鍔部１１５ａが形成されている。鍔部１１５ａから下方の部位の外周面にはネジ部が形成され、ネジ部からさらに下方へ延伸して形成されている。ホルダー１１５の内周面には凹部が形成されて、この凹部内にドラムスプリング１２５が収納されており、ホルダー１１５の下部の内周面には係合片１２１ｃが係合する係合部１１５ｂが形成されている。伸縮アンテナ１００を伸張した際には、ベース１２１の外周面に弾性的に当接されたドラムスプリング１２５により、伸縮アンテナ１００の伸張状態を維持したまま確実に保持される。
【０００７】
次に、従来の３段のエレメントを備える伸縮アンテナの構成の他の例を図７に示す。図７に示す伸縮アンテナ２００は３段のエレメントを全て伸張した状態を示している。
この図に示す伸縮アンテナ２００は、伸縮アンテナ１００と同様に第１エレメント１１１と、第１エレメント１１１内に下から挿入され、第１エレメント１１１に摺動自在に挿通されている第２エレメント１１２と、第２エレメント１１２内に下から挿入され、第２エレメント１１２に摺動自在に挿通されている第３エレメント１１３とを備えている。これらのエレメントの構成は伸縮アンテナ１００の構成と同様とされているので、その説明は省略するが、第３エレメント１１３の下端はアンテナ基部１３４に固着されており、アンテナ基部１３４は３段からなるエレメントを傾動可能に保持している。アンテナ基部１３４におけるベース１４４は、携帯電話機等の無線機器の筐体に取り付けられ、伸縮アンテナ２００は筐体に対して傾動可能に取り付けられるようになる。また、図７に示す伸張状態の伸縮アンテナ２００に横方向から外力が加わった際に、可撓性を有する第３エレメント１１３がしなることで外力を吸収し、外力がなくなると伸縮アンテナ２００は元の直立状態にもどるようになる。
【０００８】
図８にアンテナ基部１３４の詳細構成を示す断面図を示す。
この図に示すように、第３エレメント１１３は可撓性を有するエレメント導体１１３ａを柔軟な絶縁チューブ１１３ｂで被覆して構成されている。エレメント導体１１３ａの下部はストッパー１４０のほぼ中心軸に沿って形成されている孔部内に上端から嵌入されて、ストッパー１４０の外周面の一部にカシメ加工が施されることにより、エレメント導体１１３ａがストッパー１４０に固着されている。ストッパー１４０の下部の外周面にはネジ部が形成されており、このネジ部がジョイント１４１に形成されている孔部の内周面に形成されたネジ部に螺着されて、ストッパー１４０のほぼ下半分がジョイント１４１内に螺合されるようになる。ジョイント１４１の下部には溝部が形成されることにより一対の挟持部１４１ａが形成されており、ジョイント１４１に形成された上端が開口された孔部が、挟持部１４１ａの直上まで形成されている。この孔部内には、孔部の内径にほぼ等しい外径を中央部に有する押し棒１４２がスライド可能に挿入されており、押し棒１４２の下部の外径は若干外径が大きくされている。押し棒１４２の上部には径が細くされた嵌挿部１４２ａが形成されており、この嵌挿部１４２ａの周囲に孔部内に挿入されたコイルスプリング１４３が嵌挿されている。コイルスプリング１４３の長さは、上部が嵌挿部１４２ａから上方に延伸する長さとされており、コイルスプリング１４３の上端は孔部内に挿入されたストッパー１４０の下面に当接することにより、コイルスプリング１４３は押し縮められている。
【０００９】
無線機器の筐体に取り付けられるＬ字状に折曲されているベース１４４の上面には板状の挟持片１４４ａが立設して形成されている。挟持片１４４ａには挿通孔が形成されている。この挟持片１４４ａが、ジョイント１４１の下部に形成されている溝部内に嵌挿されることにより、挟持片１４４ａが挟持部１４１ａにより挟持されるようになる。そして、一対の挟持部１４１ａに連通するよう形成された挿通孔にピン１４５を挿通することにより、溝部内の挟持片１４４ａに形成された挿通孔にもピン１４５が挿通される。ピン１４５の先端部には、挿通孔内から抜け出せないよう加工を施す。これにより、ジョイント１４１はベース１４４に枢支されるようになる。挟持部１４１ａに挟持されている挟持片１４４ａの先端は、ジョイント１４１の孔部内に突出して、その先端が押し棒１４２の下端面に当接している。この場合、コイルスプリング１４３は押し縮められて押し棒１４２を下方へ付勢するようになる。これにより、ジョイント１４１の挟持片１４４ａが押し棒１４２により上方から付勢されて、ベース１４４に枢支されているジョイント１４１を傾動させた際に所望の角度で確実に保持されるようになる。この構造により、図７に破線で示すように伸縮アンテナ２００は直立状態から両側にほぼ水平になるまで傾動できる。傾動角度θの最大角度は約９０°とされ、所望の傾動角度θに傾けた際に、コイルスプリング１４３の付勢力により３段からなるエレメントはその角度に確実に保持されるようになる。また、Ｌ字状のベース１４４には、ネジの挿通孔が形成されており、この挿通孔にネジを挿通して筐体に螺着することにより、伸縮アンテナ２００が筐体に取り付けられるようになる。
【先行技術文献】
【特許文献】
【００１０】
【特許文献１】特開２００７−３００５２５号公報
【発明の概要】
【発明が解決しようとする課題】
【００１１】
上記した従来の伸縮アンテナ１００においては、３段のエレメントを傾動させる構成には、ベース１２１，押し棒１２３，コイルスプリング１２４およびストッパー１２６の部品が必要とされ、部品点数が多くなると共に傾動させる構成が大きくなると云う問題点があった。また、従来の伸縮アンテナ２００においても、３段のエレメントを傾動させる構成には、ジョイント１４１，押し棒、１４２，コイルスプリング１４３およびベース１４４の部品が必要とされ、部品点数が多くなると傾動させる構成が大きくなると云う問題点があった。このように、傾動させる構成が大きくなると、エレメントを縮納した際の長さを長くすることができず、伸張時の長さが短くなってしまうことになる。
そこで、本発明はエレメントを傾動させる構成を小型化してエレメントを伸張した際の長さを長くすることのできる伸縮アンテナを提供することを目的としている。
【課題を解決するための手段】
【００１２】
本発明のアンテナは、可撓性を有する線状の下部エレメントと、該下部エレメントが内部に収納可能とされて、前記下部エレメントに対して摺動自在に伸縮されるパイプ状の上部エレメントと、前記下部エレメントの下部が固着されると共に、下部に一対の挟持部が形成されているジョイントと、該ジョイントの前記一対の挟持部の間に挟持されて枢支される挟持片が上部に形成され、下端に外径が大きくされた鍔部が形成されたシャフトと、上面に前記挟持片が挿通される挿通孔が形成され、ほぼ円筒状に形成されて内部に前記シャフトが挿入されていると共に下端に外側に突出するストッパーが形成されているベースと、前記シャフトにおける前記鍔部の上面に下端が当接するように前記シャフトの周囲に配置されると共に、上端が前記ベースの上面の内側に当接するよう前記ベース内に押し縮められて収納されているコイルスプリングと、伸張された際に摺動された前記ベースを弾性的に保持すると共に筐体に取付可能とされたホルダーとを備えることを最も主要な特徴としている。
【発明の効果】
【００１３】
本発明によれば、伸縮自在なエレメントを傾動させる構成には、ジョイント，シャフト，コイルスプリングおよびベースの部品だけが必要とされ、部品点数を少なくすることができると共に、傾動させる構成を小型化することができる。これにより、エレメントを縮納した際の長さを長くすることができることから、伸張した際の長さを長くすることができるようになる。
【図面の簡単な説明】
【００１４】
【図１】本発明の第１実施例の伸縮アンテナの構成を示す図である。
【図２】本発明の第１実施例の伸縮アンテナにおけるアンテナ基部の詳細構成を示す断面図である。
【図３】本発明の第２実施例の伸縮アンテナの構成を示す図である。
【図４】本発明の第２実施例の伸縮アンテナにおけるアンテナ基部の詳細構成を示す断面図である。
【図５】従来の伸縮アンテナの構成の一例を示す図である。
【図６】従来の伸縮アンテナにおけるアンテナ基部の詳細構成を示す断面図である。
【図７】従来の伸縮アンテナの構成の他の例を示す図である。
【図８】従来の他の伸縮アンテナにおけるアンテナ基部の詳細構成を示す断面図である。
【発明を実施するための形態】
【００１５】
本発明の第１実施例である伸縮アンテナ１の全体の構成を図１に示す。図１は伸縮アンテナ１を伸張した状態を示す図である。
この図に示す第１実施例の伸縮アンテナ１は、第１エレメント１１の先端にトップ部１０が嵌着されており、金属製のパイプ状とされた第１エレメント１１と、第１エレメント１１内に下から挿入され、第１エレメント１１に摺動自在に挿通されている第２エレメント１２と、第２エレメント１２内に下から挿入され、第２エレメント１２に摺動自在に挿通されている第３エレメント１３を備えている。第２エレメント１２も金属製のパイプ状とされており、第１エレメント１１内に収納できるように第１エレメント１１より若干小さい外径とされている。第３エレメント１３は超弾性合金等の可撓性を有する線状の金属材料で作成されている。第３エレメント１３の下端はアンテナ基部１４に固着されており、アンテナ基部１４により第１エレメント１１ないし第３エレメント１３からなる３段の伸縮自在なエレメントがホルダー１５に対して摺動可能かつ傾動可能とされている。トップ部１０は、伸縮アンテナ１を伸縮する際に把持する部位とされている。ホルダー１５は、携帯電話機等の無線機器の筐体に取り付けられる。ホルダー１５が筐体に取り付けられた際に、伸縮アンテナ１が筐体に収納できると共に、筐体に対し傾動可能に取り付けられるようになる。
【００１６】
本発明の第１実施例にかかる伸縮アンテナ１は、図１に示すように全段を伸張した状態や中途まで伸張した状態で使用することができる。また、不使用時には全段が縮納されて筐体内に伸縮アンテナ１が収納されるようになり、この際にはホルダー１５内にトップ部１０が摺動されて保持された状態となる。
第１実施例の伸縮アンテナ１におけるアンテナ基部１４の詳細構成を示す断面図を図２に示す。図２において、ジョイント２０は一部半断面で示されている。
図２に示すように、第３エレメント１３は超弾性合金製の可撓性を有するエレメント導体１３ａを柔軟な絶縁チューブ１３ｂで被覆して構成されている。エレメント導体１３ａの下部はジョイント２０にほぼ中心軸に沿って形成されている孔部内に上端から嵌入されて、ジョイント２０の外周面にカシメ加工が施されることにより、エレメント導体１３ａがジョイント２０に固着されている。ジョイント２０は、断面形状がほぼ円形とされて金属製とされており、上端から所定深さの孔部が形成されていると共に、下部の外径が大きく形成されている。
【００１７】
また、外径が大きくされたジョイント２０の下部において、ほぼ中央部に軸方向に溝部が形成されており、溝部が形成されることにより一対の挟持部２０ａが形成されている。挟持部２０ａの断面形状はほぼ半円形とされ、一対の挟持部２０ａに連通する挿通孔が横方向に形成されている。ジョイント２０の溝部内にシャフト２３の上部に形成されている平板状の挟持片２３ａが嵌挿されることにより、挟持片２３ａが一対の挟持部２０ａにより挟持されるようになる。そして、一対の挟持部２０ａに連通するよう形成された挿通孔にピン２１を挿通する際に、溝部内の挟持片２３ａに形成された挿通孔にもピン２１を挿通する。挿通されたピン２１の先端部には、挿通孔内から抜け出せないよう加工を施す。これにより、ジョイント２０はシャフト２３に枢支されるようになる。なお、シャフト２３は金属製とされて断面形状がほぼ円形とされており、上部の外周面の両側が削られて平板状の挟持片２３ａが形成されている。挟持片２３ａにはピン２１が挿通される挿通孔が形成されている。
【００１８】
シャフト２３は、上端が閉じた円筒状の金属製とされたベース２２内に挿入されている。この場合、ベース２２の閉じた上面には矩形状の溝部が形成されており、矩形状の溝部内にシャフト２３が有する平板状の挟持片２３ａが挿入されて、挟持片２３ａはベース２２の上面から突出して前記したように挟持部２０ａに挟持されている。シャフト２３の下端には外径が大きくされた鍔部２３ｂが形成されている。シャフト２３の周囲にはベース２２内に収納されたコイルスプリング２４が配置されており、コイルスプリング２４の下端は鍔部２３ｂの上端に当接すると共に、上端がベース２２の上面の内面に当接している。このベース２２内に収納されたコイルスプリング２４の長さは、収納された際に押し縮められて所定の付勢力を発生する長さとされている。このコイルスプリング２４による付勢力によりシャフト２３は下方へ付勢されて、シャフト２３に連結されたジョイント２０の挟持部２０ａの下面がベース２２の上面に弾性的に当接するようになる。これにより、シャフト２３に枢支されているジョイント２０を傾動させた際に、所望の角度で確実に保持されるようになる。この構造により、図１に破線で示すように伸縮アンテナ１は直立状態から両側にほぼ水平になるまで傾動できるようになる。傾動角度θの最大角度は約９０°とされ、所望の傾動角度θに傾けた際に、コイルスプリング２４の付勢力により３段からなるエレメントが全段伸張されていてもその角度に確実に保持されるようになる。
【００１９】
ベース２２は金属製とされて、閉じた上面に矩形状の溝部が形成された円筒状とされている。矩形状の溝部内には、上記したように挟持片２３ａが出入自在に嵌挿されている。ベース２２の下端には横方向に突出するストッパー２２ｂが形成されている。伸縮アンテナ１を伸張した際には、ベース２２がホルダー１５内に下から挿入されてホルダー１５に弾性的に保持されるようになる。また、伸張された際にはベース２２の下端に形成されたストッパー２２ｂがホルダー１５の下端の内側に係合して、それ以上伸張することができないようになる。ホルダー１５は金属製とされており、全体にわたり貫通孔が形成された円筒状とされて、ホルダー１５の上部には外径が大きくされた鍔部１５ｂが形成されている。鍔部１５ｂから下方の本体部１５ａの外周面にはネジ部が形成され、ネジ部から若干下方へ延伸している。ホルダー１５の内周面には収納凹部が形成されて、この収納凹部内にドラムスプリング２５が収納されている。また、ホルダー１５の下部の内周面にはストッパー２２ｂが係合する係合部１５ｃが形成されている。ホルダー１５を携帯電話機等の筐体に形成されたネジ穴に鍔部１５ｂの下面が当接するまで螺合することにより、筐体に伸縮アンテナ１を取り付けることができる。
【００２０】
ドラムスプリング２５は、リン青銅等の弾性を有する金属板を加工して複数本の弾性片を形成し、歪ませた弾性片が内側になるよう全体を円筒状に折曲してホルダー１５の収納凹部内に収納されている。伸縮アンテナ１を伸張した際には、ホルダー１５内に挿通されたベース２２の外周面にドラムスプリング２５が弾性的に当接されて、伸張状態とされた伸縮アンテナ１が確実に保持される。また、伸縮アンテナ１を縮納した際にはトップ部１０が上からホルダー１５内に挿入されて、トップ部１０の上部が鍔部１５ｂの上面に当接される。この際に、トップ部１０の外周面に弾性的に当接されたドラムスプリング２５により、縮納状態の伸縮アンテナ１が確実に保持される。
本発明の第１実施例の伸縮アンテナ１は、ホルダー１５が携帯電話機等の筐体に取り付けられると、筐体に対して直立状態から水平方向までの任意の傾動角度で傾動することができると共に、ホルダー１５に対してベース２２を長手方向の軸を回転軸として回転できることから、伸縮アンテナ１を筐体に対して水平面内で回転することができるようになる。そして、第１実施例の伸縮アンテナ１は従来の伸縮アンテナにおける押し棒あるいはストッパーの部品を省略することができると共に、部品点数が減ったことから図２に示すようにベース２２の長さを従来の伸縮アンテナより短くすることができる。すると、ベース２２が短くなった分だけ第２エレメント１２および第３エレメント１３が収納されている第１エレメント１１の長さを長くしても、筐体に用意された伸縮アンテナ１を収納できる空間に収納することができ、全段を伸張した際の伸縮アンテナ１の長さを長くすることができるようになる。
【００２１】
次に、本発明の第２実施例である伸縮アンテナ２の全体の構成を図３に示す。図３は伸縮アンテナ２を伸張した状態を示す図である。
この図に示す第２実施例の伸縮アンテナ２は、第１実施例の伸縮アンテナ１と同様に第１エレメント１１の先端にトップ部１０が嵌着されており、金属製のパイプ状とされた第１エレメント１１と、第１エレメント１１内に下から挿入され、第１エレメント１１に摺動自在に挿通されている第２エレメント１２と、第２エレメント１２内に下から挿入され、第２エレメント１２に摺動自在に挿通されている第３エレメント１３を備えている。第１エレメント１１ないし第３エレメント１３からなる３段の伸縮自在なエレメントの構成は、第１実施例の伸縮アンテナと同様とされているので、その説明は省略するが、第３エレメント１３の下端はアンテナ基部１６に固着されており、アンテナ基部１６により第１エレメント１１ないし第３エレメント１３からなる３段の伸縮自在なエレメントがベース３２に対して傾動可能とされている。ベース３２は、携帯電話機等の無線機器の筐体に取り付けられる。ベース３２が筐体に取り付けられた際に、伸縮アンテナ２が筐体に対し傾動可能に取り付けられるようになる。
【００２２】
本発明の第２実施例にかかる伸縮アンテナ２は、図３に示すように全段を伸張した状態や中途まで伸張した状態で使用することができる。また、不使用時には全段が縮納されて筐体に沿って伸縮アンテナ２が折り曲げられて収納されるようになる。
第２実施例の伸縮アンテナ２におけるアンテナ基部１６の詳細構成を示す断面図を図４に示す。図４において、ジョイント２０は一部半断面で示されている。
図４に示すように、第３エレメント１３は超弾性合金製の可撓性を有するエレメント導体１３ａを柔軟な絶縁チューブ１３ｂで被覆して構成されている。エレメント導体１３ａの下部はジョイント２０にほぼ中心軸に沿って形成されている孔部内に上端から嵌入されて、ジョイント２０の外周面にカシメ加工が施されることにより、エレメント導体１３ａがジョイント２０に固着されている。ジョイント２０は、断面形状がほぼ円形とされて金属製とされており、上端から所定深さの孔部が形成されていると共に、下部の外径が大きく形成されている。
【００２３】
また、外径が大きくされたジョイント２０の下部において、ほぼ中央部に軸方向に溝部が形成されており、溝部が形成されることにより一対の挟持部２０ａが形成されている。挟持部２０ａの断面形状はほぼ半円形とされ、一対の挟持部２０ａに連通する挿通孔が横方向に形成されている。ジョイント２０の溝部内にシャフト３３の上部に形成されている平板状の挟持片３３ｂが嵌挿されることにより、挟持片３３ｂが一対の挟持部２０ａにより挟持されるようになる。そして、一対の挟持部２０ａに連通するよう形成された挿通孔にピン２１を挿通する際に、溝部内の挟持片３３ｂに形成された挿通孔にもピン２１を挿通する。ピン２１の先端部には、挿通孔内から抜け出せないよう加工を施す。これにより、ジョイント２０はシャフト３３に枢支されるようになる。なお、シャフト３３は金属製とされており、本体部３３ａは断面形状がほぼ円形とされ、本体部３３ａの上部の外周面の両側が削られて平板状の挟持片３３ｂが形成されている。挟持片３３ｂにはピン２１が挿通される挿通孔が形成されている。また、本体部の下端には、外径が大きくされた鍔部３３ｃが形成されている。
【００２４】
シャフト３３が有する平板状の挟持片３３ｂは、金属製とされた平板状のベース３２に形成された矩形状の溝部に摺動可能に下面側から挿入されている。シャフト３３の本体部３３ａの周囲にはコイルスプリング３４が配置されており、コイルスプリング３４の下端は鍔部３３ｃの上端に当接すると共に、上端がベース３２の下面に当接している。このコイルスプリング３４の長さは、本体部３３ａの周囲に配置されて挟持片３３ｂが挟持部２０ａに挟持された際に、押し縮められて所定の付勢力を発生する長さとされている。このコイルスプリング３４による付勢力によりシャフト３３は下方へ付勢されるようになる。これにより、ジョイント２０の挟持部２０ａの下面がベース３２の上面に弾性的に当接するようになり、ベース３２に取り付けられたシャフト３３に枢支されているジョイント２０を傾動させた際に所望の角度で確実に保持されるようになる。この構造により、図３に破線で示すように伸縮アンテナ２は直立状態から両側にほぼ水平になるまで傾動できるようになる。傾動角度θの最大角度は約９０°とされ、所望の傾動角度θに傾けた際に、コイルスプリング３４の付勢力により３段からなるエレメントが全段伸張されていてもその角度に確実に保持できるようになる。
【００２５】
平板状のベース３２には、取付穴３２ａが形成されており、この取付穴３２ａにネジを挿通して携帯電話機等の筐体に螺着することにより、筐体に伸縮アンテナ２を取り付けることができる。この場合、シャフト３３を収納する空間が筐体内に用意される。
本発明の第２実施例の伸縮アンテナ２は、ベース３２が携帯電話機等の筐体に取り付けられると、筐体に対して直立状態から水平方向までの任意の傾動角度で傾動することができるようになる。そして、第２実施例の伸縮アンテナ２は従来の他の伸縮アンテナにおける押し棒あるいはストッパーの部品を省略することができると共に、部品点数が減ったことから図４に示すようにベース３２の長さを従来の伸縮アンテナより短くすることができる。すると、ベース３２が短くなった分だけ第２エレメント１２および第３エレメント１３が収納されている第１エレメント１１の長さを長くしても、筐体に用意された伸縮アンテナ２を収納できる空間に収納することができ、全段を伸張した際の伸縮アンテナ２の長さを長くすることができるようになる。
【産業上の利用可能性】
【００２６】
以上説明した本発明にかかる伸縮アンテナは、地上デジタルテレビジョン放送の１セグメント部分受信サービスを受信することのできる携帯電話機等の伸縮アンテナとして使用することができるが、これに限るものではなく本発明にかかる伸縮アンテナは、伸縮可能なアンテナ一般に適用することができる。また、本発明の伸縮アンテナは第１エレメントないし第３エレメントを備える３段の伸縮アンテナとしたが、エレメント部分を２段に伸縮可能な伸縮アンテナとしても良い。
さらに、本発明にかかる伸縮アンテナにおいて、挟持部の下端面に平坦部を形成することにより、エレメントを傾動させていくと平坦部がベースの上面に当接した際にクリック感を得ることができると共に、その傾動角度が保持されるようになる。従って、挟持部の下端面を四角形や多角形とすることにより、所定の傾動角度となった際にクリック感を得ることができると共に、その傾動角度で保持できるようになる。
【符号の説明】
【００２７】
１  伸縮アンテナ、２  伸縮アンテナ、１０  トップ部、１１  第１エレメント、１２  第２エレメント、１３  第３エレメント、１３ａ  エレメント導体、１３ｂ  絶縁チューブ、１４  アンテナ基部、１５  ホルダー、１５ａ  本体部、１５ｂ  鍔部、１５ｃ  係合部、１６  アンテナ基部、２０  ジョイント、２０ａ  挟持部、２１  ピン、２２  ベース、２２ｂ  ストッパー、２３  シャフト、２３ａ  挟持片、２３ｂ  鍔部、２４  コイルスプリング、２５  ドラムスプリング、３２  ベース、３２ａ  取付穴、３３  シャフト、３３ａ  本体部、３３ｂ  挟持片、３３ｃ  鍔部、３４  コイルスプリング、１００  伸縮アンテナ、１１０  トップ部、１１１  第１エレメント、１１２  第２エレメント、１１３  第３エレメント、１１３ａ  エレメント導体、１１３ｂ  絶縁チューブ、１１４  アンテナ基部、１１５  ホルダー、１１５ａ  鍔部、１１５ｂ  係合部、１２０  ジョイント、１２０ａ  挟持片、１２１  ベース、１２１ａ  挟持部、１２１ｂ  カシメ部、１２１ｃ  係合片、１２２  ピン、１２３  押し棒、１２３ａ  嵌挿部、１２４  コイルスプリング、１２５  ドラムスプリング、１２６  ストッパー、１３４  アンテナ基部、１４０  ストッパー、１４１  ジョイント、１４１ａ  挟持部、１４２  押し棒、１４２ａ  嵌挿部、１４３  コイルスプリング、１４４  ベース、１４４ａ  挟持片、１４５  ピン、２００  伸縮アンテナ
【図１】
2011061513.tif 000003
【図２】
2011061513.tif 000004
【図３】
2011061513.tif 000005
【図４】
2011061513.tif 000006
【図５】
2011061513.tif 000007
【図６】
2011061513.tif 000008
【図７】
2011061513.tif 000009
【図８】
2011061513.tif 000010